(57)【要約】【課題】継足し脚の収納部が備えられている家具を提供する。【解決手段】天板１４と、天板１４に取付けられた２以上の脚１１とを備える家具であって、脚１１が、本脚１２と本脚に継ぎ足される継足し脚１３とを含んで構成されており、天板１４の下面に、継足し脚１３を収納する収納部１５が備えられている家具１０である。この構成により、継足し脚１３を別途保管する必要がなくなり、保管場所を忘れたり、継足し脚１３が紛失したりすることがなくなる。【選択図】図１
0003207097.tif 000002
【実用新案登録請求の範囲】
【請求項１】
天板と、該天板に取付けられた２以上の脚とを備える家具であって、
前記脚が、本脚と該本脚に継ぎ足される継足し脚とを含んで構成されており、
前記天板の下面に、前記継足し脚を収納する収納部が備えられている、
ことを特徴とする家具。
【請求項２】
前記継足し脚の少なくとも一方の端部には、ねじ棒が設けられており、
前記収納部は、
前記天板の下面に沿って固定されている棒状体を含んで構成されており、
該棒状体の側面には、前記ねじ棒が嵌合できる横溝が設けられている、
ことを特徴とする家具。
【請求項３】
前記横溝には、
前記ねじ棒の、溝方向の動作を規制する切欠き部が設けられている、
ことを特徴とする請求項２記載の家具。
【請求項４】
前記収納部は、
前記棒状体と、
該棒状体と平行に設けられている抜け防止棒状体と、
前記棒状体に垂直に設けられている垂直棒状体と、を含んで構成されている、
ことを特徴とする請求項２または３に記載の家具。
【考案の詳細な説明】
【技術分野】
【０００１】
本考案は、家具に関する。さらに詳しくは、こたつやテーブルに代表される、天板に２以上の脚が備えられている家具に関する。
【背景技術】
【０００２】
テーブルやこたつに代表される、天板に２以上の脚を備える家具では、季節ごとに、または部屋の模様替えに応じて、天板の高さを変えたいという顧客の要求がある。この要求に対して、特許文献１では家具の脚を本脚と継足し脚とから構成し、脚の長さを変えることで天板の高さを変える構成が採用されている。
【０００３】
しかるに、家具の脚が複数の部材で構成されていると、天板の位置を低くしたときに、継足し脚は次に天板の位置を高くするときのために別途保管しておく必要がある。しかし天板の高低を変える作業は頻繁に行われるわけではないため、家具の使用者が、継足し脚の保管場所を失念してしまいやすいという問題がある。また、長期間に亘って使用しない場合、継足し脚自体を紛失してしまう可能性があるという問題がある。
【先行技術文献】
【特許文献】
【０００４】
【特許文献１】登録実用新案第３２０３１０２号公報
【考案の概要】
【考案が解決しようとする課題】
【０００５】
本考案は上記事情に鑑み、継足し脚の収納部が備えられている家具を提供することを目的とする。
【課題を解決するための手段】
【０００６】
第１考案の家具は、天板と、該天板に取付けられた２以上の脚とを備える家具であって、前記脚が、本脚と該本脚に継ぎ足される継足し脚とを含んで構成されており、前記天板の下面に、前記継足し脚を収納する収納部が備えられていることを特徴とする。
第２考案の家具は、第１考案において、前記継足し脚の少なくとも一方の端部には、ねじ棒が設けられており、前記収納部は、前記天板の下面に沿って固定されている棒状体を含んで構成されており、該棒状体の側面には、前記ねじ棒が嵌合できる横溝が設けられていることを特徴とする。
第３考案の家具は、第２考案において、前記横溝には、前記ねじ棒の、溝方向の動作を規制する切欠き部が設けられていることを特徴とする。
第４考案の家具は、第２考案または第３考案において、前記収納部は、前記棒状体と、該棒状体と平行に設けられている抜け防止棒状体と、前記棒状体に垂直に設けられている垂直棒状体と、を含んで構成されていることを特徴とする。
【考案の効果】
【０００７】
第１考案によれば、天板の下面に継足し脚を収納する収納部が備えられていることにより、継足し脚を別途保管する必要がなくなり、保管場所を忘れたり、継足し脚が紛失したりすることがなくなる。
第２考案によれば、収納部が、天板の下面に沿って固定されている棒状体を含んで構成されており、この棒状体の側面に、継足し脚のねじ棒が嵌合できる横溝が設けられていることにより、継足し脚のねじ棒を棒状体に嵌合させるだけで継足し脚の収納が可能となる。また、継足し脚を本脚に付けて天板の位置を高くした際に、収納部が全く目立たず、家具の使用者が収納部に接触して不快感を与えることがない。
第３考案によれば、横溝には、ねじ棒の、溝方向の動作を規制する切欠き部が設けられていることにより、振動や運搬時の傾きにより、意図せずに継足し脚が収納部から脱落することを防止できる。
第４考案によれば、収納部は、棒状体と平行に設けられている抜け防止棒状体を含んで構成されていることにより、簡易な構成で継足し脚が棒状体から脱落することを防止できる。さらに、収納部は、垂直棒状体を含んで構成されていることにより、継足し脚のねじ棒を、横溝の端部から溝方向に滑らしながら挿入する際に、継足し脚の奥側の位置を簡易な方法で覚知できるので、継足し脚を挿入する際に、継足し脚を押し過ぎて脱落することがない。
【図面の簡単な説明】
【０００８】
【図１】本考案の実施形態に係る家具の底面図である。
【図２】図１の家具の収納部の拡大底面図である。
【図３】図１の家具の収納部への継足し脚の収納作業の説明図である。
【図４】図１の家具の収納部の拡大側面図である。
【図５】図１の家具の天板位置が高いときの斜視図である。
【図６】図１の家具の天板位置が低いときの斜視図である。
【図７】図１の家具の脚の説明図である。
【考案を実施するための形態】
【０００９】
つぎに、本考案の実施形態を図面に基づき説明する。
図５には、本考案の実施形態に係る家具１０の、天板１４の位置が高いときの斜視図を、図６には、天板１４の位置が低いときの斜視図を示す。
【００１０】
本実施形態に係る家具１０は、テーブルやこたつとして使用され、天板１４に４本の脚１１を備えている。４本の脚１１は天板１４に対して着脱自在に設けられている。脚１１は、本脚１２と、この本脚１２に継ぎ足される継足し脚１３とから構成されており、家具１０の使用者は、この継足し脚１３を継ぎ足すことで、天板１４の高さを変更することができる。なお、図５、６では、天板１４の上に、更に上天板１９が備えられている状態を示している。家具１０がこたつとして使用される際は、天板１４に布団がかけられ、その上に上天板１９が置かれた状態で、家具１０は使用される。
【００１１】
図７は、脚１１の説明図であり、図７（Ａ）は、脚１１を構成する本脚１２と継足し脚１３とが分離された状態を示し、図７（Ｂ）は、本脚１２と継足し脚１３とが結合された状態を示している。
【００１２】
継足し脚１３の上端には、おねじであるねじ棒１３ａが備えられ、このねじ棒１３ａに螺合することが可能な雌ねじ部１３ｂが継足し脚１３の下端に設けられている。また本脚１２の上端には、ねじ棒１３ａと同じ大きさのねじ棒１２ａが備えられている。
【００１３】
家具１０の使用者が、天板１４を高い状態で使用したいときは、脚１１を、本脚１２と継足し脚１３とを組み合わせて構成し（図７（Ｂ）の状態）、継足し脚１３のねじ棒１３ａを、天板１４に設けられている雌ねじ部にねじ込み、家具１０を組み立てる。家具１０の使用者が、天板１４を低い状態で使用したいときは、脚１１を、本脚１２のみで構成し、本脚１２のねじ棒１２ａを、天板１４に設けられている雌ねじ部にねじ込み、家具１０を組み立てる。
【００１４】
脚１１の側面の形状は、特に限定されるものではないが、図７に示すように円すい台または円柱形状であることが望ましい。円すい台、または円柱形状は、本脚１２または継足し脚１３の柱状体の中心軸から側面までの距離が、同じ水平面内では等しくなる。本脚１２と継足し脚１３とは、ねじ結合となり、ねじ棒１３ａ等が柱状体の中心軸と同軸であり、脚１１の形状が円すい台、または円柱形状である場合は、本脚１２と継足し脚１３との間で側面の形状がずれることがなくなり、脚１１として一体感を出すことができる。
【００１５】
図１は、本考案の実施形態に係る家具１０の底面図、図２は、家具１０の収納部１５の拡大底面図、図４は家具１０の収納部１５の拡大側面図である。図４（Ａ）は、継足し脚１３を収納していない状態、図４（Ｂ）は、継足し脚１３を収納している状態を示している。本実施形態に係る家具１０は、天板１４の下面に、継足し脚１３を収納する収納部１５が設けられている。
【００１６】
本実施形態に係る収納部１５は、横溝１６ａが設けられている棒状体１６と、この棒状体１６と平行に設けられている抜け防止棒状体１７と、棒状体１６に垂直に設けられている垂直棒状体１８と、を含んで構成されている、棒状体１６、抜け防止棒状体１７、垂直棒状体１８は、概略細長い四角柱であり、それぞれが、天板１４の下面にボルトで固定されている。
【００１７】
棒状体１６には、天板１４の内側に向けた側面に、継足し脚１３のねじ棒１３ａのための横溝１６ａが設けられている。この横溝１６ａは、棒状体１６の図１の紙面の上側から所定の距離だけ設けられ、図４に示すように、溝方向に対し垂直な断面は、ねじ棒１３ａが嵌合できる大きさの矩形である。
【００１８】
さらに、横溝１６ａには、４か所下方に向けて切欠き部１６ｂが設けられており、この切欠き部１６ｂにねじ棒１３ａが落ち込むことにより、継足し脚１３の溝方向の動作が規制される。切欠き部１６ｂの形状は特に限定されないが、ねじ棒１３ａの大きさに合わせた半円形状が望ましい。切欠き部１６ｂ同士の間隔は、継足し脚１３が十分に収納できる距離とする。具体的には、切欠き部１６ｂ同士の芯間距離は、継足し脚１３の直径の３ｍｍ程度大きい値である。
【００１９】
図３には、本実施形態の家具１０の収納部１５への継足し脚１３の収納作業の説明図を示す。
【００２０】
家具１０の使用者が、継足し脚１３を収納部１５へ収納する場合、使用者は図３の上（棒状体１６の一側面）から、棒状体１６に設けられている横溝１６ａに継足し脚１３のねじ棒１３ａを滑り込ませる。使用者は、もっとも奥にある切欠き部１６ｂに１つ目のねじ棒１３ａが入り込むまで継足し脚１３を押し込む。これを４つ目の継足し脚１３が収納されるまで続ける。
【００２１】
天板１４の下面に継足し脚１３を収納する収納部１５が備えられていることにより、継足し脚１３を別途保管する必要がなくなり、保管場所を忘れたり、継足し脚１３が紛失したりすることがなくなる。
【００２２】
収納部１５が、天板１４の下面に沿って固定されている棒状体１６を含んで構成されており、この棒状体１６の側面に、継足し脚１３のねじ棒１３ａが嵌合できる横溝１６ａが設けられていることにより、継足し脚１３のねじ棒１３ａを棒状体１６に嵌合させるだけで継足し脚１３の収納が可能となる。また、継足し脚１３を本脚１２に付けて天板の位置を高くした際に、収納部１５が全く目立たず、家具の使用者が収納部１５に接触して不快感を与えることがない。
【００２３】
横溝１６ａには、ねじ棒１３ａの、溝方向の動作を規制する切欠き部１６ｂが設けられていることにより、振動や運搬時の傾きにより、意図せずに継足し脚１３が収納部１５から脱落することを防止できる。
【００２４】
収納部１５は、棒状体１６と平行に設けられている抜け防止棒状体１７を含んで構成されていることにより、簡易な構成で継足し脚１３が棒状体１６から脱落することを防止できる。さらに、収納部１５は、垂直棒状体１８を含んで構成されていることにより、継足し脚１３のねじ棒１３ａを、横溝１６ａの端部から溝方向に滑らしながら挿入する際に、継足し脚１３の奥側の位置を簡易な方法で覚知できるので、継足し脚１３を挿入する際に、継足し脚を押し過ぎて脱落することがない。
【符号の説明】
【００２５】
１０  家具
１１  脚
１２  本脚
１３  継足し脚
１３ａ  ねじ棒
１４  天板
１５  収納部
１６  棒状体
１６ａ  横溝
１６ｂ  切欠き部
１７  抜け防止棒状体
１８  垂直棒状体
【図１】
0003207097.tif 000003
【図２】
0003207097.tif 000004
【図３】
0003207097.tif 000005
【図４】
0003207097.tif 000006
【図５】
0003207097.tif 000007
【図６】
0003207097.tif 000008
【図７】
0003207097.tif 000009